(57)【要約】【課題】機能の利用を制限する範囲を柔軟に決定することを課題とする。【解決手段】携帯端末装置は、第１の機能を利用可能な第１の領域の設定を開始する操作を受け付け、利用可能な第１の機能の情報を表す第１の機能情報を受け付ける。携帯端末装置は、通信装置それぞれとの通信の確立に応じて、通信装置それぞれを識別する識別情報を取得する。携帯端末装置は、通信装置を介して、第１の機能情報と識別情報とを情報処理装置に対して送信する。情報処理装置は、第１の機能情報と識別情報とを対応付けて記憶部に登録する。情報処理装置は、通信装置と情報機器との通信に応じて送信された該通信装置の識別情報が受信された場合に、受信された識別情報に対応する第１の機能情報を記憶部から取得する。情報処理装置は、通信装置を介して、取得した第１の機能情報を情報機器に対して送信する。【選択図】図５
2017055264.tif 000002
【特許請求の範囲】
【請求項１】
携帯端末装置と情報処理装置とを有する情報処理システムであって、
前記携帯端末装置は、
１以上の通信装置の通信範囲により特定される領域であって、第１の機能を利用可能な第１の領域の設定を開始する操作を受け付ける第１の受付部と、
前記第１の領域の設定を開始する操作が受け付けられた後に、該第１の領域で利用可能な前記第１の機能の情報を表す第１の機能情報を受け付ける第２の受付部と、
前記通信装置それぞれとの通信の確立に応じて、前記通信装置それぞれを識別する識別情報を取得する識別情報取得部と、
前記通信装置を介して、受け付けられた前記第１の機能情報と、取得された前記識別情報との、前記情報処理装置に対する送信を制御する第１の通信制御部と、を有し、
前記情報処理装置は、
受信された前記第１の機能情報と前記識別情報とを対応付けて記憶部に登録する登録部と、
前記通信装置と、前記通信装置の前記通信範囲内に存在する情報機器との通信に応じて送信された該通信装置の識別情報が受信された場合に、受信された前記識別情報に対応する前記第１の機能情報を前記記憶部から取得する機能情報取得部と、
前記通信装置を介して、前記記憶部から取得された前記第１の機能情報の、前記情報機器に対する送信を制御する第２の通信制御部と
を有することを特徴とする情報処理システム。
【請求項２】
前記携帯端末装置は、
前記第１の領域の設定を終了する操作を受け付ける第３の受付部をさらに有し、
前記第１の通信制御部は、前記第１の領域の設定を終了する操作が受け付けられた場合に、前記第１の機能情報と前記識別情報との、前記情報処理装置に対する送信を制御することを特徴とする請求項１に記載の情報処理システム。
【請求項３】
前記第１の通信制御部は、取得された前記識別情報が、前記第１の領域の設定を開始する操作が受け付けられてから最初に取得された識別情報と同一である場合に、前記第１の機能情報と前記識別情報との、前記情報処理装置に対する送信を制御することを特徴とする請求項１に記載の情報処理システム。
【請求項４】
前記携帯端末装置は、
前記第１の領域の設定を開始する操作が受け付けられた状態において、前記第１の機能とは異なる第２の機能を利用可能な第２の領域の設定を開始する操作を受け付ける第４の受付部と、
利用可能な前記第２の機能の情報を表す第２の機能情報を受け付ける第５の受付部と、
前記第２の領域の設定を終了する操作を受け付ける第６の受付部と、をさらに有し、
前記第１の通信制御部は、前記第２の領域の設定の開始から終了までの間に受け付けられた前記第２の機能情報と、取得された前記識別情報との、前記情報処理装置に対する送信を制御し、
前記登録部は、受信された前記第２の機能情報と前記識別情報とを対応付けて前記記憶部に登録し、
前記機能情報取得部は、受信された前記識別情報に対応する前記第２の機能情報を前記記憶部から取得し、
前記第２の通信制御部は、前記記憶部から取得された前記第２の機能情報の、前記情報機器に対する送信を制御することを特徴とする請求項１〜３の何れか一つに記載の情報処理システム。
【請求項５】
前記携帯端末装置は、
被写体の撮影を制御する撮影制御部と、
前記第１の機能とは異なる第２の機能の情報を表す第２の機能情報を受け付ける第６の受付部と、をさらに有し、
前記第１の通信制御部は、所定の被写体が撮影されている間に受け付けられた前記第２の機能情報と、取得された前記識別情報との、前記情報処理装置に対する送信を制御し、
前記登録部は、受信された前記第２の機能情報と前記識別情報とを対応付けて前記記憶部に登録し、
前記機能情報取得部は、受信された前記識別情報に対応する前記第２の機能情報を前記記憶部から取得し、
前記第２の通信制御部は、前記記憶部から取得された前記第２の機能情報の、前記情報機器に対する送信を制御することを特徴とする請求項１〜３の何れか一つに記載の情報処理システム。
【請求項６】
１以上の通信装置の通信範囲により特定される領域で利用可能な機能の情報を表す機能情報と、前記通信装置を識別する識別情報とを対応付けて記憶部に登録する登録部と、
前記通信装置と、前記通信装置の通信範囲内に存在する情報機器との通信に応じて送信された該通信装置の識別情報が受信された場合に、受信された前記識別情報に対応する前記機能情報を前記記憶部から取得する機能情報取得部と、
前記通信装置を介して、前記記憶部から取得された前記機能情報の、前記情報機器に対する送信を制御する通信制御部と
を有することを特徴とする情報処理装置。
【請求項７】
情報処理装置に、
１以上の通信装置の通信範囲により特定される領域で利用可能な機能の情報を表す機能情報と、前記通信装置を識別する識別情報とを対応付けて記憶部に登録するステップと、
前記通信装置と、前記通信装置の通信範囲内に存在する情報機器との通信に応じて送信された該通信装置の識別情報が受信された場合に、受信された前記識別情報に対応する前記機能情報を前記記憶部から取得するステップと、
前記通信装置を介して、前記記憶部から取得された前記機能情報の、前記情報機器に対する送信を制御するステップと
を実行させるための情報処理プログラム。
【請求項８】
携帯端末装置と情報処理装置とを有する情報処理システムであって、
前記携帯端末装置は、
１以上の通信装置の通信範囲により特定される領域であって、機能を利用可能な前記領域の設定を開始する操作を受け付ける第１の受付部と、
前記領域の設定を開始する操作が受け付けられた後に、該領域で利用可能な前記機能の情報を表す機能情報を受け付ける第２の受付部と、
前記通信装置それぞれとの通信の確立に応じて、前記通信装置それぞれを識別する識別情報を取得する識別情報取得部と、
前記通信装置を介して、受け付けられた前記機能情報と、取得された前記識別情報との、前記情報処理装置に対する送信を制御する第１の通信制御部と、を有し、
前記情報処理装置は、
受信された前記機能情報と前記識別情報とを対応付けて記憶部に登録する登録部と、
前記通信装置と、前記通信装置の前記通信範囲内に存在する情報機器との通信に応じて送信された該通信装置の識別情報、及び、該情報機器で起動操作が受け付けられた機能の情報を表す起動機能情報が受信された場合に、前記記憶部を参照し、該識別情報及び該起動機能情報に対応する機能情報が存在するか否かを確認する機能情報確認部と、
前記通信装置を介して、前記識別情報及び前記起動機能情報に対応する前記機能情報が存在すること、又は、前記識別情報及び前記起動機能情報に対応する前記機能情報が存在しないこと、を表す確認結果情報の、前記情報機器に対する送信を制御する第２の通信制御部と
を有することを特徴とする情報処理システム。
【発明の詳細な説明】
【技術分野】
【０００１】
本発明は、情報処理システム、情報処理装置及び情報処理プログラムに関する。
【背景技術】
【０００２】
従来、スマートフォンやタブレット端末等のスマートデバイスで実行されるアプリケーション等の機能の利用制限を、該スマートデバイスの位置情報に基づいて実現する技術が知られている。具体的には、利用を制限する機能や利用制限の対象となる範囲を予め決定しておき、スマートデバイスに搭載されたＧＰＳ（Global  Positioning  System）等から得られた位置情報が、予め決定された範囲に含まれる場合に、スマートデバイスに対する利用制限を行なう。特許文献１（特開２０１４−４９８９９号公報）には、複数の機器間の位置関係に応じて、機器が分担する機能を切り替える技術が開示されている。
【発明の概要】
【発明が解決しようとする課題】
【０００３】
しかしながら、上述した従来技術は、機能の利用を制限する範囲を柔軟に決定することが困難であるという課題がある。具体的には、従来技術は、機能の利用制限について、予め決定した範囲に応じて実現したり、機器間の位置関係に応じて実現したりするものであるため、機能の利用を制限する範囲を柔軟に決定することは困難である。
【０００４】
本発明は、上記に鑑みてなされたものであって、機能の利用を制限する範囲を柔軟に決定することを目的とする。
【課題を解決するための手段】
【０００５】
上述した課題を解決し、目的を達成するため、本発明に係る情報処理システムは、携帯端末装置と情報処理装置とを有する情報処理システムであって、前記携帯端末装置は、１以上の通信装置の通信範囲により特定される領域であって、第１の機能を利用可能な第１の領域の設定を開始する操作を受け付ける第１の受付部と、前記第１の領域の設定を開始する操作が受け付けられた後に、該第１の領域で利用可能な前記第１の機能の情報を表す第１の機能情報を受け付ける第２の受付部と、前記通信装置それぞれとの通信の確立に応じて、前記通信装置それぞれを識別する識別情報を取得する識別情報取得部と、前記通信装置を介して、受け付けられた前記第１の機能情報と、取得された前記識別情報との、前記情報処理装置に対する送信を制御する第１の通信制御部と、を有し、前記情報処理装置は、受信された前記第１の機能情報と前記識別情報とを対応付けて記憶部に登録する登録部と、前記通信装置と、前記通信装置の前記通信範囲内に存在する情報機器との通信に応じて送信された該通信装置の識別情報が受信された場合に、受信された前記識別情報に対応する前記第１の機能情報を前記記憶部から取得する機能情報取得部と、前記通信装置を介して、前記記憶部から取得された前記第１の機能情報の、前記情報機器に対する送信を制御する第２の通信制御部とを有する。
【発明の効果】
【０００６】
本発明の一つの様態によれば、機能の利用を制限する範囲を柔軟に決定することができるという効果を奏する。
【図面の簡単な説明】
【０００７】
【図１】図１は、実施の形態１に係る情報処理システムのシステム構成例を示す図である。
【図２】図２は、実施の形態１に係る第１の領域の例を示す図である。
【図３】図３は、実施の形態１に係る携帯端末装置のハードウェア構成例を示すブロック図である。
【図４】図４は、実施の形態１に係る情報処理装置のハードウェア構成例を示すブロック図である。
【図５】図５は、実施の形態１に係る携帯端末装置及び情報処理装置の機能構成例を示すブロック図である。
【図６Ａ】図６Ａは、実施の形態１に係る携帯端末装置の記憶部に記憶される情報例を示す図である。
【図６Ｂ】図６Ｂは、実施の形態１に係る携帯端末装置の記憶部に記憶される情報例を示す図である。
【図７】図７は、実施の形態１に係る情報処理装置の記憶部に記憶される情報例を示す図である。
【図８】図８は、実施の形態１に係る領域設定処理の流れの例を示すシーケンス図である。
【図９】図９は、実施の形態１に係る領域設定処理の流れの例を示すシーケンス図である。
【図１０】図１０は、実施の形態１に係る利用機能制限処理の流れの例を示すシーケンス図である。
【図１１】図１１は、実施の形態２に係る携帯端末装置及び情報処理装置の機能構成例を示すブロック図である。
【図１２】図１２は、実施の形態２に係る携帯端末装置の記憶部に記憶される情報例を示す図である。
【図１３】図１３は、実施の形態２に係る情報処理装置の記憶部に記憶される情報例を示す図である。
【図１４】図１４は、実施の形態２に係る領域設定処理の流れの例を示すフローチャートである。
【図１５】図１５は、実施の形態３に係る携帯端末装置のハードウェア構成例を示すブロック図である。
【図１６】図１６は、実施の形態３に係る携帯端末装置及び情報処理装置の機能構成例を示すブロック図である。
【図１７】図１７は、実施の形態３に係る情報処理システムの適用例を説明する図である。
【図１８】図１８は、実施の形態３に係る携帯端末装置の記憶部に記憶される情報例を示す図である。
【図１９】図１９は、実施の形態３に係る情報処理装置の記憶部に記憶される情報例を示す図である。
【図２０】図２０は、実施の形態３に係る領域設定処理の流れの例を示すフローチャートである。
【図２１】図２１は、実施の形態４に係る携帯端末装置及び情報処理装置の機能構成例を示すブロック図である。
【図２２】図２２は、実施の形態４に係る機能情報確認処理の流れの例を示すシーケンス図である。
【発明を実施するための形態】
【０００８】
以下に添付図面を参照して、本発明に係る情報処理システム、情報処理装置及び情報処理プログラムの実施の形態を説明する。なお、以下の実施の形態により本発明が限定されるものではない。また、各実施の形態は、内容を矛盾させない範囲で適宜組み合わせることができる。
【０００９】
（実施の形態１）
［実施の形態１に係るシステム構成］
図１を用いて、実施の形態１に係る情報処理システムのシステム構成を説明する。図１は、実施の形態１に係る情報処理システムのシステム構成例を示す図である。
【００１０】
図１に示すように、情報処理システム１には、携帯端末装置１００と、情報処理装置２００と、通信装置３００ａ〜通信装置３００ｊとが含まれる。通信装置３００ａ〜通信装置３００ｊは、１以上の通信装置を表すものである。以下では、説明の便宜上、通信装置３００ａ〜通信装置３００ｊを、単に、通信装置３００と呼ぶ場合がある。各通信装置３００は、携帯端末装置１００と情報処理装置２００との間で各種情報の送受信を中継する役割を担う。また、図１に示す破線の楕円は、各通信装置３００による近距離無線通信の通信範囲（通信範囲Ａ〜通信範囲Ｊ）を表している。各通信装置３００は、自身の近距離無線通信の通信範囲に含まれる携帯端末装置１００や各種の情報機器と通信することができる。
【００１１】
携帯端末装置１００は、ユーザが所持するスマートフォンやタブレット端末等のスマートデバイスである。携帯端末装置１００を所持するユーザとは、情報機器で実行される機能の利用制限のための領域を設定するユーザである。携帯端末装置１００を所持するユーザは、領域を設定するために、各通信装置３００の通信範囲それぞれを移動する。本実施の形態では、携帯端末装置１００を所持するユーザの移動による軌跡をもとに領域が設定される。
【００１２】
具体的には、携帯端末装置１００は、１以上の通信装置３００の通信範囲により特定される領域であって、第１の機能を利用可能な第１の領域の設定を開始する操作を受け付ける。また、携帯端末装置１００は、利用可能な第１の機能の情報を表す第１の機能情報を受け付ける。すなわち、携帯端末装置１００は、領域の設定を開始するためのユーザ操作を受け付けるとともに、設定される領域内で利用可能とする機能の情報を（選択等により）受け付ける。
【００１３】
そして、携帯端末装置１００は、各通信装置３００との通信の確立に応じて、各通信装置３００を識別する識別情報を取得する。すなわち、携帯端末装置１００は、ユーザの移動によって通信装置３００の通信範囲に入ると、該通信装置３００との通信の確立に応じて、該通信装置３００の識別情報を取得する。識別情報は、ユーザの移動によって携帯端末装置１００と通信を確立した通信装置３００それぞれから取得される。その後、携帯端末装置１００は、受け付けられた第１の機能情報と、取得された識別情報とを、情報処理装置２００に対して送信する。
【００１４】
例えば、図１に示すように、携帯端末装置１００を所持するユーザが、通信装置３００ａの通信範囲Ａ、通信装置３００ｂの通信範囲Ｂ、通信装置３００ｆの通信範囲Ｆ、通信装置３００ｉの通信範囲Ｉ、通信装置３００ｈの通信範囲Ｈ、通信装置３００ｄの通信範囲Ｄの順に移動するものとする。かかる場合、携帯端末装置１００は、通信装置３００ａ、通信装置３００ｂ、通信装置３００ｆ、通信装置３００ｉ、通信装置３００ｈ及び通信装置３００ｄの識別情報それぞれを、順に取得する。これにより、携帯端末装置１００は、第１の機能情報と、取得した各識別情報とを、情報処理装置２００に対して送信することになる。
【００１５】
情報処理装置２００は、ＰＣ（Personal  Computer）やサーバ装置等の情報処理装置である。情報処理装置２００は、インターネット等のネットワークを介して各通信装置３００と通信し、各通信装置３００を介して、携帯端末装置１００や情報機器と各種情報を送受信する。また、情報処理装置２００は、携帯端末装置１００によって送信された情報をもとに、情報機器で実行される機能の利用制限のための処理を実行する。
【００１６】
具体的には、情報処理装置２００は、携帯端末装置１００から第１の機能情報と識別情報とを受信し、受信した第１の機能情報と識別情報とを対応付けて記憶部に登録する。なお、情報処理装置２００によって受信される識別情報は、携帯端末装置１００を所持するユーザの移動に応じて取得された通信装置３００の識別情報であるため、１の機能情報（第１の機能情報）に対して１以上の識別情報となる。そして、情報処理装置２００は、通信装置３００と、通信装置３００の通信範囲内に存在する情報機器との通信に応じて送信された該通信装置３００の識別情報が受信された場合に、受信された識別情報に対応する第１の機能情報を記憶部から取得する。
【００１７】
例えば、情報機器を所持するユーザが通信装置３００の通信範囲に入ると、情報機器と通信装置３００との通信が確立され、これにより、通信装置３００は、自身の識別情報を情報処理装置２００に対して送信する。識別情報を受信した情報処理装置２００は、受信した識別情報に対応する第１の機能情報を記憶部から取得する。その後、情報処理装置２００は、通信装置３００を介して、記憶部から取得した第１の機能情報を情報機器に対して送信する。これらにより、情報機器では、通信装置３００の通信範囲において、アプリケーション等の機能が実行される場合に、情報処理装置２００から受信した第１の機能情報をもとに、該機能が利用可能であるか否かを判定し、利用可能な機能であれば実行することができる。なお、利用制限の対象機器は、第１の領域を設定するために利用された携帯端末装置１００であっても良い。
【００１８】
図２は、実施の形態１に係る第１の領域の例を示す図である。なお、図２では、携帯端末装置１００を所持するユーザが、図１に示したように、通信範囲Ａ、通信範囲Ｂ、通信範囲Ｆ、通信範囲Ｉ、通信範囲Ｈ、通信範囲Ｄの順に移動した場合の第１の領域の例を表している。図２に示すように、第１の領域は、通信範囲Ａ、通信範囲Ｂ、通信範囲Ｆ、通信範囲Ｉ、通信範囲Ｈ及び通信範囲Ｄを含む領域となる。かかる第１の領域に対する第１の機能情報は、情報処理装置２００の記憶部に登録される。そして、第１の領域に入った情報機器に対して、第１の機能情報が送信され、利用制限が実現される。
【００１９】
つまり、携帯端末装置１００は、第１の機能を利用可能な第１の領域の設定開始に伴い、第１の領域で利用可能な第１の機能情報を受け付けるとともに、通信を確立した通信装置３００の識別情報を取得し、受け付けた第１の機能情報と、取得した１以上の識別情報とを情報処理装置２００に対して送信する。また、情報処理装置２００は、受信された第１の機能情報と識別情報とを対応付けて記憶部に登録し、情報機器と通信装置３００との通信の確立に応じた該通信装置３００からの識別情報の受信に応じて、受信した識別情報に対応する第１の機能情報を記憶部から取得し、取得した第１の機能情報を情報機器に対して送信する。これらの結果、情報処理システム１は、機能の利用を制限する範囲を柔軟に決定することができる。
【００２０】
［実施の形態１に係る各装置のハードウェア構成］
次に、図３を用いて、実施の形態１に係る携帯端末装置１００のハードウェア構成を説明する。図３は、実施の形態１に係る携帯端末装置１００のハードウェア構成例を示すブロック図である。
【００２１】
図３に示すように、携帯端末装置１００は、ＣＰＵ（Central  Processing  Unit）１２と、ＲＡＭ（Random  Access  Memory）１３と、ＲＯＭ（Read  Only  Memory）１４と、通信Ｉ／Ｆ１５と、操作表示部１６とを有する。上記各部は、システムバス１１を介して相互に接続される。
【００２２】
ＣＰＵ１２は、携帯端末装置１００の動作を統括的に制御する。ＣＰＵ１２は、ＲＡＭ１３を作業領域として、ＲＯＭ１４等に格納されたプログラムを実行することで、携帯端末装置１００全体の動作を制御する。通信Ｉ／Ｆ１５は、通信装置３００や情報処理装置２００等との通信を制御するインタフェースである。操作表示部１６は、タッチパネルやハードキー等を有し、携帯端末装置１００に対する情報の入力を受け付け、各種画面を表示する。
【００２３】
次に、図４を用いて、実施の形態１に係る情報処理装置２００のハードウェア構成を説明する。図４は、実施の形態１に係る情報処理装置２００のハードウェア構成例を示すブロック図である。
【００２４】
図４に示すように、情報処理装置２００は、ＣＰＵ２２と、ＲＡＭ２３と、ＲＯＭ２４と、通信Ｉ／Ｆ２５とを有する。上記各部は、システムバス２１を介して相互に接続される。
【００２５】
ＣＰＵ２２は、情報処理装置２００の動作を統括的に制御する。ＣＰＵ２２は、ＲＡＭ２３を作業領域として、ＲＯＭ２４等に格納されたプログラムを実行することで、情報処理装置２００全体の動作を制御する。通信Ｉ／Ｆ２５は、通信装置３００や携帯端末装置１００、情報機器等との通信を制御するインタフェースである。
【００２６】
［実施の形態１に係る各装置の機能構成］
次に、図５を用いて、実施の形態１に係る各装置の機能構成を説明する。図５は、実施の形態１に係る携帯端末装置１００及び情報処理装置２００の機能構成例を示すブロック図である。
【００２７】
図５に示すように、携帯端末装置１００は、受付部１０１と、識別情報取得部１０２と、記憶部１０３と、通信制御部１０４と、通信部１０５とを有する。受付部１０１、識別情報取得部１０２及び通信制御部１０４は、これらの一部又は全てがソフトウェア（プログラム）で実現されても良いし、ハードウェア回路で実現されても良い。
【００２８】
受付部１０１は、１以上の通信装置３００の通信範囲により特定される領域であって、第１の機能を利用可能な第１の領域の設定を開始する操作を受け付ける。かかる受付部１０１は、「第１の受付部」に対応する。より具体的には、受付部１０１は、携帯端末装置１００を所持するユーザの操作表示部１６に対する操作により、第１の領域の設定を開始する操作を受け付ける。
【００２９】
また、受付部１０１は、利用可能な第１の機能の情報を表す第１の機能情報を受け付ける。かかる受付部１０１は、「第２の受付部」に対応する。より具体的には、受付部１０１は、携帯端末装置１００を所持するユーザの操作表示部１６に対する操作により、携帯端末装置１００や情報機器４００が第１の領域において利用可能な第１の機能情報を受け付ける。第１の機能情報は、選択や入力等により受け付けられれば良い。受付部１０１は、受け付けた第１の機能情報を記憶部１０３に格納する。これらの後、携帯端末装置１００を所持するユーザは、第１の領域を設定するために、移動を開始する。
【００３０】
識別情報取得部１０２は、通信装置３００それぞれとの通信の確立に応じて、通信装置３００それぞれを識別する識別情報を取得する。より具体的には、識別情報取得部１０２は、携帯端末装置１００を所持するユーザの移動に応じて、通信部１０５を介して、通信を確立した通信装置３００それぞれから、該通信装置３００の識別情報を取得する。そして、識別情報取得部１０２は、取得した識別情報を記憶部１０３に格納する。なお、携帯端末装置１００と各通信装置３００との通信の確立は、所定時間継続して通信が確立されたことにより実現するようにしても良い。これにより、携帯端末装置１００を所持するユーザが意図しない第１の領域が設定されることを抑制することができる。
【００３１】
ここで、第１の領域の設定を終了するトリガについて説明する。具体的には、第１の領域の設定を終了するトリガは、第１の領域の設定を終了するユーザ操作により実現しても良いし、第１の領域の設定を開始してから最初に通信が確立された通信装置３００の通信範囲に戻ったときであっても良い。例えば、図１を用いて説明すると、前者は、第１の領域の設定を開始するユーザ操作を受け付けてから、通信範囲Ａ、通信範囲Ｂ及び通信範囲Ｃの順に、携帯端末装置１００を所持するユーザが移動し、第１の領域の設定を終了するユーザ操作を受け付けたこととする。かかる場合、記憶部１０３には、第１の機能情報と、通信装置３００ａ、通信装置３００ｂ及び通信装置３００ｃの識別情報とが対応付けて記憶される。第１の領域の設定を終了するユーザ操作は、受付部１０１によって受け付けられる。かかる受付部１０１は、「第３の受付部」に対応する。
【００３２】
また、例えば、後者は、第１の領域の設定を開始するユーザ操作を受け付けてから、通信範囲Ａ、通信範囲Ｂ、通信範囲Ｆ、通信範囲Ｉ、通信範囲Ｈ、通信範囲Ｄ及び通信範囲Ａの順に、携帯端末装置１００を所持するユーザが移動することとする。かかる場合、記憶部１０３には、第１の機能情報と、通信装置３００ａ、通信装置３００ｂ、通信装置３００ｆ、通信装置３００ｉ、通信装置３００ｈ及び通信装置３００ｄの識別情報とが対応付けて記憶される。
【００３３】
図６Ａ及び図６Ｂは、実施の形態１に係る携帯端末装置１００の記憶部１０３に記憶される情報例を示す図である。なお、図６Ａは、第１の領域の設定を終了するユーザ操作により実現する場合の例であり、図６Ｂは、第１の領域の設定を開始してから最初に通信が確立された通信装置３００の通信範囲に戻った場合の例である。
【００３４】
図６Ａに示すように、記憶部１０３は、第１の領域の設定を開始してから、携帯端末装置１００を所持するユーザが移動した通信装置３００の通信範囲の順番を表す「順番」と、通信を確立した通信装置３００の識別情報を表す「識別情報」と、第１の領域で利用可能な第１の機能情報を表す「機能情報」との情報を対応付けて記憶する。例を挙げると、記憶部１０３は、順番「１」と、識別情報「Ｓ０００Ａ」と、機能情報「機能Ｘ」とを対応付けて記憶する。図６Ａに示す例では、携帯端末装置１００を所持するユーザが、通信範囲Ａ、通信範囲Ｂ及び通信範囲Ｃの順に移動し、第１の領域で利用可能な第１の機能情報が「機能Ｘ」と設定されたことが分かる。
【００３５】
図６Ｂに示すように、記憶部１０３は、携帯端末装置１００を所持するユーザが移動した通信装置３００の通信範囲の順番を表す「順番」と、通信を確立した通信装置３００の識別情報を表す「識別情報」と、第１の領域で利用可能な第１の機能情報を表す「機能情報」との情報を対応付けて記憶する。例を挙げると、記憶部１０３は、順番「１」と、識別情報「Ｓ０００Ａ」と、機能情報「機能Ｘ」とを対応付けて記憶する。図６Ｂに示す例では、携帯端末装置１００を所持するユーザが、通信範囲Ａ、通信範囲Ｂ、通信範囲Ｆ、通信範囲Ｉ、通信範囲Ｈ、通信範囲Ｄ及び通信範囲Ａの順に移動し、第１の領域で利用可能な第１の機能情報が「機能Ｘ」と設定されたことが分かる。上述したように、図６Ｂに示す例では、第１の領域の設定を開始してから最初に通信した通信装置３００ａの通信範囲Ａに、携帯端末装置１００を所持するユーザが戻ったことにより、第１の領域の設定が終了される。
【００３６】
通信制御部１０４は、通信装置３００を介して、第１の機能情報と識別情報との、情報処理装置２００に対する送信を制御する。かかる通信制御部１０４は、「第１の通信制御部」に対応する。通信制御部１０４による第１の機能情報と識別情報との送信のトリガは、上述した第１の領域の設定を終了するトリガによって異なる。より具体的には、通信制御部１０４は、受付部１０１によって第１の領域の設定を終了する操作が受け付けられた場合に、記憶部１０３から第１の機能情報と識別情報とを取得し、通信部１０５を介して、取得した第１の機能情報と識別情報とを情報処理装置２００に対して送信する。
【００３７】
また、通信制御部１０４は、識別情報取得部１０２によって取得された識別情報が、第１の領域の設定を開始する操作が受け付けられてから最初に取得された識別情報と同一である場合に、記憶部１０３から第１の機能情報と識別情報とを取得し、通信部１０５を介して、取得した第１の機能情報と識別情報とを情報処理装置２００に対して送信する。上述したように、携帯端末装置１００と情報処理装置２００との間で送受信される各種情報は、通信装置３００を介して行なわれる。
【００３８】
第１の領域の設定を終了する操作が受け付けられた場合には、該操作が受け付けられたときに通信している通信装置３００を介して、第１の機能情報と識別情報とが情報処理装置２００に対して送信される。また、第１の領域の設定を開始する操作が受け付けられてから最初に取得された識別情報と同一の識別情報が取得された場合には、該識別情報に対応する通信装置３００を介して、第１の機能情報と識別情報とが情報処理装置２００に対して送信される。
【００３９】
通信部１０５は、通信装置３００や情報処理装置２００との間の各種情報の送受信を制御する。例えば、通信部１０５は、通信装置３００から識別情報を受信したり、第１の機能情報と識別情報とを情報処理装置２００に対して送信したりする。
【００４０】
また、図５に示すように、情報処理装置２００は、通信部２０１と、登録部２０２と、記憶部２０３と、機能情報取得部２０４と、通信制御部２０５とを有する。登録部２０２、機能情報取得部２０４及び通信制御部２０５は、これらの一部又は全てがソフトウェア（プログラム）で実現されても良いし、ハードウェア回路で実現されても良い。
【００４１】
通信部２０１は、携帯端末装置１００や通信装置３００、情報機器４００との間の各種情報の送受信を制御する。例えば、通信部２０１は、携帯端末装置１００から第１の機能情報と識別情報とを通信装置３００を介して受信したり、通信装置３００と情報機器４００との通信の確立に応じて該通信装置３００の識別情報を受信したり、第１の機能情報を、通信装置３００を介して情報機器４００や携帯端末装置１００に対して送信したりする。
【００４２】
登録部２０２は、第１の機能情報と識別情報とを対応付けて記憶部２０３に登録する。より具体的には、登録部２０２は、通信部２０１によって受信された第１の機能情報と識別情報とを対応付けて記憶部２０３に登録する。図７は、実施の形態１に係る情報処理装置２００の記憶部２０３に記憶される情報例を示す図である。図７に示すように、記憶部２０３は、第１の機能情報を表す「機能情報」と、１以上の通信装置３００の識別情報を表す「識別情報」との情報を対応付けて記憶する。例を挙げると、記憶部２０３は、機能情報「機能Ｘ」と、識別情報「Ｓ０００Ａ」、「Ｓ０００Ｂ」、「Ｓ０００Ｆ」、「Ｓ０００Ｉ」等とを対応付けて記憶する。なお、記憶部２０３には、携帯端末装置１００を所持するユーザが設定した領域の数だけ、機能情報と識別情報とが対応付けて記憶される。すなわち、携帯端末装置１００を所持するユーザが、領域の設定を複数回行なうことで、複数の領域に対する利用制限に関する情報を設定することができる。
【００４３】
機能情報取得部２０４は、通信装置３００の識別情報が受信された場合に、受信された識別情報に対応する第１の機能情報を記憶部２０３から取得する。より具体的には、機能情報取得部２０４は、通信装置３００と、通信装置３００の通信範囲内に存在する情報機器４００との通信に応じて送信された該通信装置３００の識別情報が受信された場合に、受信された識別情報に対応する第１の機能情報を記憶部２０３から取得する。例えば、携帯端末装置１００を所持するユーザによって第１の領域が設定された後に、情報機器４００を所持するユーザが、ある通信装置３００の通信範囲に入ったこととする。このとき、情報機器４００と通信装置３００との間では、通信が確立される。そして、情報機器４００において、何らかの機能を実行するための操作が受け付けられると、情報機器４００は、通信を確立した通信装置３００から、該通信装置３００の識別情報を取得する。続いて、情報機器４００は、通信装置３００を介して、取得した識別情報を情報処理装置２００に対して送信する。これにより、情報処理装置２００では、受信した識別情報に対応する第１の機能情報を、記憶部２０３から取得する処理が実行される。図７に示した例で説明すると、情報処理装置２００は、識別情報「Ｓ０００Ｂ」を受信した場合に、受信した識別情報「Ｓ０００Ｂ」に対応する機能情報「機能Ｘ」を記憶部２０３から取得する。なお、情報機器４００ではなく、携帯端末装置１００が通信装置３００の通信範囲に入った場合に、上記処理が実行されても良い。本実施の形態では、説明の便宜上、携帯端末装置１００と情報機器４００とを別の機器として説明している。
【００４４】
通信制御部２０５は、通信装置３００を介して、記憶部２０３から取得された第１の機能情報の、情報機器４００に対する送信を制御する。かかる通信制御部２０５は、「第２の通信制御部」に対応する。より具体的には、通信制御部２０５は、機能情報取得部２０４によって記憶部２０３から取得された第１の機能情報を、通信部２０１を介して、識別情報を送信してきた通信装置３００に対して送信する。第１の機能情報を受信した通信装置３００は、通信を確立している情報機器４００に対して、第１の機能情報を送信する。これらにより、第１の機能情報を受信した情報機器４００では、第１の機能情報をもとに、実行される機能が利用可能な機能であるか否かを判定したうえで、利用可能であれば該機能を実行する。なお、情報機器４００は、第１の機能情報を受信したときに、利用可能な機能の一覧を表示部等に表示するようにしても良い。
【００４５】
［実施の形態１に係る領域設定処理シーケンス］
次に、図８及び図９を用いて、実施の形態１に係る領域設定処理の流れを説明する。図８及び９は、実施の形態１に係る領域設定処理の流れの例を示すシーケンス図である。実施の形態１に係る領域設定処理とは、携帯端末装置１００を所持するユーザの移動に応じて第１の領域を設定するための処理を指す。なお、図８では、領域設定の開始操作及び終了操作により領域を設定する場合を例に挙げる。また、図９では、領域設定の開始時と同一の識別情報が取得された場合に領域の設定を終了する場合を例に挙げる。
【００４６】
図８に示すように、携帯端末装置１００は、第１の領域の設定を開始する操作を受け付ける（ステップＳ１０１）。また、携帯端末装置１００は、第１の領域で利用可能な第１の機能情報を受け付ける（ステップＳ１０２）。そして、携帯端末装置１００を所持するユーザの移動に応じて、携帯端末装置１００は、通信装置３００との通信を確立し（ステップＳ１０３）、通信を確立した通信装置３００から、該通信装置３００の識別情報を取得する（ステップＳ１０４）。続いて、携帯端末装置１００は、受け付けた第１の機能情報と、取得した識別情報とを記憶部１０３に対応付けて登録する（ステップＳ１０５）。
【００４７】
その後、携帯端末装置１００を所持するユーザの移動に応じて、携帯端末装置１００は、他の通信装置３００との通信を確立し（ステップＳ１０６）、通信を確立した通信装置３００から、該通信装置３００の識別情報を取得する（ステップＳ１０７）。そして、携帯端末装置１００は、受け付けた第１の機能情報と、取得した識別情報とを記憶部１０３に対応付けて登録する（ステップＳ１０８）。また、携帯端末装置１００は、第１の領域の設定を終了する操作を受け付ける（ステップＳ１０９）。すなわち、携帯端末装置１００は、第１の領域の設定を開始する操作と、第１の機能情報とを受け付けた後、第１の領域の設定を終了する操作を受け付けるまで、各通信装置３００と通信して識別情報を取得し、第１の機能情報と取得した識別情報とを記憶部１０３に登録する処理を繰り返し実行する。
【００４８】
第１の領域の設定を終了する操作を受け付けた携帯端末装置１００は、第１の機能情報と識別情報とを記憶部１０３から取得し、取得した第１の機能情報と識別情報とを、通信装置３００を介して、情報処理装置２００に対して送信する（ステップＳ１１０）。これらにより、情報処理装置２００は、受信した第１の機能情報と識別情報とを記憶部２０３に登録する（ステップＳ１１１）。
【００４９】
図９に示すように、携帯端末装置１００は、第１の領域の設定を開始する操作を受け付ける（ステップＳ２０１）。また、携帯端末装置１００は、第１の領域で利用可能な第１の機能情報を受け付ける（ステップＳ２０２）。そして、携帯端末装置１００を所持するユーザの移動に応じて、携帯端末装置１００は、通信装置３００との通信を確立し（ステップＳ２０３）、通信を確立した通信装置３００から、該通信装置３００の識別情報を取得する（ステップＳ２０４）。そして、携帯端末装置１００は、受け付けた第１の機能情報と、取得した識別情報とを記憶部１０３に対応付けて登録する（ステップＳ２０５）。ここでは、記憶部１０３には識別情報がまだ記憶されていないため、識別情報が同一であるか否かの判定処理は実行されない。
【００５０】
その後、携帯端末装置１００を所持するユーザの移動に応じて、携帯端末装置１００は、他の通信装置３００との通信を確立し（ステップＳ２０６）、通信を確立した通信装置３００から、該通信装置３００の識別情報を取得する（ステップＳ２０７）。そして、携帯端末装置１００は、受け付けた第１の機能情報と、取得した識別情報とを記憶部１０３に対応付けて登録する（ステップＳ２０８）。また、携帯端末装置１００は、第１の領域の設定を開始してから最初に取得された識別情報と、取得された識別情報とが同一であるか否かを判定する（ステップＳ２０９）。すなわち、携帯端末装置１００は、第１の領域の設定を開始する操作が受け付けられてから最初に取得された識別情報と、取得された識別情報とが同一のものとなるまで、各通信装置３００と通信して識別情報を取得し、第１の機能情報と取得した識別情報とを記憶部１０３に登録する処理を繰り返し実行する。
【００５１】
携帯端末装置１００は、最初に取得された識別情報と同一の識別情報が取得された場合に（ステップＳ２１０）、第１の機能情報と識別情報とを記憶部１０３から取得し、取得した第１の機能情報と識別情報とを、通信装置３００を介して、情報処理装置２００に対して送信する（ステップＳ２１１）。これらにより、情報処理装置２００は、受信した第１の機能情報と識別情報とを記憶部２０３に登録する（ステップＳ２１２）。
【００５２】
［実施の形態１に係る利用機能制限処理シーケンス］
次に、図１０を用いて、実施の形態１に係る利用機能制限処理の流れを説明する。図１０は、実施の形態１に係る利用機能制限処理の流れの例を示すシーケンス図である。実施の形態１に係る利用機能制限処理とは、第１の領域の設定後に、通信範囲に入った情報機器４００が利用する機能を制限するための処理を指す。なお、上述したように、図１０で説明する情報機器４００は、携帯端末装置１００であっても良い。
【００５３】
図１０に示すように、情報機器４００を所持するユーザの移動に応じて、情報機器４００は、通信装置３００との通信を確立する（ステップＳ３０１）。そして、情報機器４００は、アプリケーション等の何らかの機能を起動する操作を受け付ける（ステップＳ３０２）。このとき、情報機器４００は、通信を確立している通信装置３００から、該通信装置３００の識別情報を取得する（ステップＳ３０３）。続いて、情報機器４００は、実行される機能が利用可能か否かを問い合わせるために、通信装置３００を介して、取得した識別情報を情報処理装置２００に対して送信する（ステップＳ３０４）。
【００５４】
情報処理装置２００は、識別情報を受信すると、受信した識別情報に対応する第１の機能情報を記憶部２０３から取得する（ステップＳ３０５）。そして、情報処理装置２００は、通信装置３００を介して、取得した第１の機能情報を情報機器４００に対して送信する（ステップＳ３０６）。ここで、情報処理装置２００は、識別情報に対応する第１の機能情報が記憶部２０３に記憶されていない場合に、利用を制限しなくても良いため、利用制限がない旨の応答を情報機器４００に返す。情報機器４００は、第１の機能情報を受信し、受信した第１の機能情報をもとに、実行される機能が利用可能であれば、該機能を実行する（ステップＳ３０７）。なお、情報機器４００は、利用制限がない場合も機能を実行する。
【００５５】
［実施の形態１による効果］
携帯端末装置１００は、第１の領域の設定を開始する操作を受け付け、第１の機能情報を受け付ける。そして、携帯端末装置１００は、携帯端末装置１００を所持するユーザの移動に応じて、通信を確立した通信装置３００から、該通信装置３００の識別情報を取得する。続いて、携帯端末装置１００は、第１の領域の設定の終了時に、受け付けられた第１の機能情報と、取得された識別情報とを情報処理装置２００に対して送信する。情報処理装置２００は、受信した第１の機能情報と識別情報とを記憶部２０３に対応付けて登録する。そして、情報処理装置２００は、通信装置３００と情報機器４００との通信に応じて、通信装置３００の識別情報を受信した場合に、受信した識別情報に対応する第１の機能情報を記憶部２０３から取得し、通信装置３００を介して、取得した第１の機能情報を情報機器４００に対して送信する。これらの結果、情報処理システム１は、機能の利用を制限する範囲を柔軟に決定することができる。
【００５６】
（実施の形態２）
上記実施の形態１では、携帯端末装置１００を所持するユーザの一回の移動により１の領域を設定する場合を説明した。実施の形態２では、携帯端末装置１００ａを所持するユーザの一回の移動により複数の領域を設定する場合を説明する。なお、実施の形態２に係る各装置のハードウェア構成については、実施の形態１に係る各装置のハードウェア構成と同様であるため、その説明を省略する。
【００５７】
［実施の形態２に係る各装置の機能構成］
図１１を用いて、実施の形態２に係る各装置の機能構成を説明する。図１１は、実施の形態２に係る携帯端末装置１００ａ及び情報処理装置２００ａの機能構成例を示すブロック図である。実施の形態２では、実施の形態１に係る各装置の機能構成と同様の構成については同一の符号を付し、その詳細な説明を省略する場合がある。具体的には、以下に記載する受付部１０１ａ、通信制御部１０４ａ、登録部２０２ａ、機能情報取得部２０４ａ、通信制御部２０５ａ以外の各部の機能は、実施の形態１に係る各部の機能と同様である。
【００５８】
図１１に示すように、携帯端末装置１００ａは、受付部１０１ａと、識別情報取得部１０２と、記憶部１０３と、通信制御部１０４ａと、通信部１０５とを有する。受付部１０１ａ、識別情報取得部１０２及び通信制御部１０４ａは、これらの一部又は全てがソフトウェア（プログラム）で実現されても良いし、ハードウェア回路で実現されても良い。
【００５９】
受付部１０１ａは、第１の領域の設定を開始する操作が受け付けられた状態において、第１の機能とは異なる第２の機能を利用可能な第２の領域の設定を開始する操作を受け付ける。かかる受付部１０１ａは、「第４の受付部」に対応する。より具体的には、受付部１０１ａは、第１の領域の設定を開始する操作が受け付けられた状態、すなわち、携帯端末装置１００ａを所持するユーザが移動を開始している状態において、携帯端末装置１００ａを所持するユーザの操作表示部１６に対する操作により、第２の領域の設定を開始する操作を受け付ける。なお、第２の領域の設定を開始するための操作は、第１の領域の設定が終了していないときに受け付け可能である。つまり、携帯端末装置１００ａを所持するユーザは、第１の領域を設定しているときに、任意のタイミングで、第２の領域の設定を行なうことができる。第２の領域は、第１の領域と同様に、１以上の通信装置３００の通信範囲により特定される領域となる。
【００６０】
また、受付部１０１ａは、利用可能な第２の機能の情報を表す第２の機能情報を受け付ける。かかる受付部１０１ａは、「第５の受付部」に対応する。より具体的には、受付部１０１ａは、携帯端末装置１００ａを所持するユーザの操作表示部１６に対する操作により、携帯端末装置１００ａや情報機器４００が第２の領域において利用可能な第２の機能情報を受け付ける。第２の機能情報は、第１の機能情報と同様に、選択や入力等により受け付けられれば良い。受付部１０１ａは、受け付けた第２の機能情報を記憶部１０３に格納する。携帯端末装置１００ａを所持するユーザは、第２の領域を設定するために、引き続き移動する。
【００６１】
また、受付部１０１ａは、第２の領域の設定を終了する操作を受け付ける。かかる受付部１０１ａは、「第６の受付部」に対応する。より具体的には、受付部１０１ａは、携帯端末装置１００ａを所持するユーザの操作表示部１６に対する操作により、第２の領域の設定を終了する操作を受け付ける。なお、識別情報取得部１０２による処理は、実施の形態１と同様である。すなわち、識別情報取得部１０２は、携帯端末装置１００ａを所持するユーザの移動に応じて、通信を確立した通信装置３００から、該通信装置３００の識別情報を取得する。本実施の形態では、第２の領域の設定時においても、通信を確立した通信装置３００から識別情報が取得される。このため、記憶部１０３には、第１の機能情報と、第１の領域の設定時に取得された識別情報とが対応付けて記憶されるとともに、第２の機能情報と、第２の領域の設定時に取得された識別情報とが対応付けて記憶されることになる。
【００６２】
本実施の形態では、第１の領域の設定が開始されると、携帯端末装置１００ａを所持するユーザの移動に応じて、第１の機能情報と識別情報とが対応付けて記憶部１０３に格納される。そして、第１の領域の設定が開始された状態において、第２の領域の設定が開始されると、携帯端末装置１００ａを所持するユーザの移動に応じて、第２の機能情報と識別情報とが対応付けて記憶部１０３に格納される。続いて、第２の領域の設定が終了されると、第１の領域の設定が終了されるまで、第１の機能情報と識別情報とが対応付けて記憶部１０３に格納されることになる。つまり、第１の領域の設定が開始された状態において、第２の領域の設定が開始されると、第２の領域の設定に切り替わり、第２の領域の設定が終了されるまで、第１の領域の設定については一旦中断される。
【００６３】
図１２は、実施の形態２に係る携帯端末装置１００ａの記憶部１０３に記憶される情報例を示す図である。図１２に示すように、記憶部１０３は、実施の形態１と同様に、「順番」と、「識別情報」と、「機能情報」との情報を対応付けて記憶する。上述したように、本実施の形態では、携帯端末装置１００ａを所持するユーザの一度の移動により、複数の機能情報を登録できる。図１２に示す例によれば、携帯端末装置１００ａを所持するユーザは、通信装置３００ａの通信範囲Ａ、通信装置３００ｂの通信範囲Ｂ、通信装置３００ｆの通信範囲Ｆ、通信装置３００ｉの通信範囲Ｉ、通信装置３００ｈの通信範囲Ｈ、通信装置３００ｄの通信範囲Ｄの順に、移動したことがわかる。また、この移動において、通信範囲Ｆに携帯端末装置１００ａが含まれているときに、第２の領域の設定を開始する操作が行なわれ、通信範囲Ｈに携帯端末装置１００ａが含まれているときに、第２の領域の設定を終了する操作が行なわれたことがわかる。これらにより、第１の領域は、通信範囲Ａ、通信範囲Ｂ及び通信範囲Ｄにおいて、機能Ｘを利用可能とする設定になる。第２の領域は、通信範囲Ｆ、通信範囲Ｉ及び通信範囲Ｈにおいて、機能Ｙを利用可能とする設定になる。
【００６４】
通信制御部１０４ａは、通信装置３００を介して、第２の機能情報と識別情報との、情報処理装置２００ａに対する送信をさらに制御する。より具体的には、通信制御部１０４ａは、第１の機能情報と、該第１の機能情報に対応する識別情報とに加え、第２の機能情報と、該第２の機能情報に対応する識別情報とを記憶部１０３から取得し、通信部１０５を介して、取得した第１の機能情報及び識別情報と、第２の機能情報及び識別情報とを、情報処理装置２００ａに対して送信する。すなわち、通信制御部１０４ａは、第２の領域の設定の開始から終了までの間に受け付けられた第２の機能情報と、取得された識別情報とを、情報処理装置２００ａに対してさらに送信するための制御を行なう。
【００６５】
また、図１１に示すように、情報処理装置２００ａは、通信部２０１と、登録部２０２ａと、記憶部２０３と、機能情報取得部２０４ａと、通信制御部２０５ａとを有する。登録部２０２ａ、機能情報取得部２０４ａ及び通信制御部２０５ａは、これらの一部又は全てがソフトウェア（プログラム）で実現されても良いし、ハードウェア回路で実現されても良い。
【００６６】
登録部２０２ａは、第２の機能情報と識別情報とを対応付けて記憶部２０３にさらに登録する。より具体的には、登録部２０２ａは、通信部２０１によって受信された第１の機能情報と識別情報とを対応付けて記憶部２０３に登録するとともに、受信された第２の機能情報と識別情報とを対応付けて記憶部２０３に登録する。図１３は、実施の形態２に係る情報処理装置２００ａの記憶部２０３に記憶される情報例を示す図である。図１３に示すように、記憶部２０３は、実施の形態１と同様に、「機能情報」と「識別情報」との情報を対応付けて記憶する。本実施の形態では、携帯端末装置１００ａを所持するユーザの一度の移動により、複数の利用制限に関する情報を登録できる。図１３に示す例は、携帯端末装置１００ａを所持するユーザの一度の移動によって記憶部２０３に登録される情報例である。例を挙げると、記憶部２０３は、機能情報「機能Ｘ」と、識別情報「Ｓ０００Ａ」、「Ｓ０００Ｂ」、「Ｓ０００Ｄ」とを対応付けて記憶する。また、記憶部２０３は、機能情報「機能Ｙ」と、識別情報「Ｓ０００Ｆ」、「Ｓ０００Ｉ」、「Ｓ０００Ｈ」とを対応付けて記憶する。
【００６７】
機能情報取得部２０４ａは、通信装置３００の識別情報が受信された場合に、受信された識別情報に対応する第２の機能情報を記憶部２０３からさらに取得する。より具体的には、機能情報取得部２０４ａは、通信装置３００と、通信装置３００の通信範囲内に存在する情報機器４００との通信に応じて送信された該通信装置３００の識別情報が受信された場合に、受信された識別情報に対応する第１の機能情報又は第２の機能情報を記憶部２０３から取得する。なお、利用制限のための情報が記憶部２０３に複数記憶されている場合は、複数の機能情報が取得される可能性がある。
【００６８】
通信制御部２０５ａは、通信装置３００を介して、記憶部２０３から取得された第２の機能情報の、情報機器４００に対する送信をさらに制御する。より具体的には、通信制御部２０５ａは、機能情報取得部２０４ａによって記憶部２０３から取得された第１の機能情報又は第２の機能情報を、通信部２０１を介して、識別情報を送信してきた通信装置３００に対して送信する。
【００６９】
［実施の形態２に係る領域設定処理フロー］
次に、図１４を用いて、実施の形態２に係る領域設定処理の流れを説明する。図１４は、実施の形態２に係る領域設定処理の流れの例を示すフローチャートである。実施の形態２に係る領域設定処理とは、携帯端末装置１００ａを所持するユーザの移動に応じて第１の領域及び第２の領域を設定するための処理を指す。なお、図１４では、ユーザ操作により、領域の設定を終了する場合を例に挙げて説明する。
【００７０】
図１４に示すように、携帯端末装置１００ａは、第１の領域の設定を開始する操作を受け付ける（ステップＳ４０１）。また、携帯端末装置１００ａは、第１の領域で利用可能な第１の機能情報を受け付ける（ステップＳ４０２）。そして、携帯端末装置１００ａを所持するユーザの移動に応じて、携帯端末装置１００ａは、通信装置３００との通信を確立し、通信を確立した通信装置３００から、該通信装置３００の識別情報を取得する（ステップＳ４０３）。続いて、携帯端末装置１００ａは、受け付けた第１の機能情報と、取得した識別情報とを記憶部１０３に対応付けて登録する（ステップＳ４０４）。
【００７１】
携帯端末装置１００ａは、第１の領域の設定を終了する操作を受け付けたか否かを判定する（ステップＳ４０５）。このとき、携帯端末装置１００ａは、第１の領域の設定を終了する操作を受け付けた場合に（ステップＳ４０５：Ｙｅｓ）、領域設定処理を終了する。ここで、携帯端末装置１００ａは、第２の領域の設定を開始する操作を受け付けていないため、第１の領域に対する領域設定処理だけが実行されたことになる。一方、携帯端末装置１００ａは、第１の領域の設定を終了する操作を受け付けていない場合に（ステップＳ４０５：Ｎｏ）、第２の領域の設定を開始する操作を受け付けたか否かを判定する（ステップＳ４０６）。携帯端末装置１００ａは、第２の領域の設定を開始する操作を受け付けていない場合に（ステップＳ４０６：Ｎｏ）、ステップＳ４０３に戻り、第１の領域に対する領域設定処理を継続する。
【００７２】
また、携帯端末装置１００ａは、第２の領域の設定を開始する操作を受け付けた場合に（ステップＳ４０６：Ｙｅｓ）、第２の領域で利用可能な第２の機能情報を受け付ける（ステップＳ４０７）。ここで、携帯端末装置１００ａは、第１の領域の設定を開始する操作が受け付けられた状態において、第２の領域の設定を開始する操作を受け付けたため、第１の領域に対する領域設定処理から第２の領域に対する領域設定処理へ切り替える。そして、携帯端末装置１００ａを所持するユーザの移動に応じて、携帯端末装置１００ａは、通信装置３００との通信を確立し、通信を確立した通信装置３００から、該通信装置３００の識別情報を取得する（ステップＳ４０８）。続いて、携帯端末装置１００ａは、受け付けた第２の機能情報と、取得した識別情報とを記憶部１０３に対応付けて登録する（ステップＳ４０９）。
【００７３】
携帯端末装置１００ａは、第２の領域の設定を終了する操作を受け付けたか否かを判定する（ステップＳ４１０）。このとき、携帯端末装置１００ａは、第２の領域の設定を終了する操作を受け付けていない場合に（ステップＳ４１０：Ｎｏ）、ステップＳ４０８に戻り、第２の領域に対する領域設定処理を継続する。一方、携帯端末装置１００ａは、第２の領域の設定を終了する操作を受け付けた場合に（ステップＳ４１０：Ｙｅｓ）、ステップＳ４０５に戻る。携帯端末装置１００ａは、第１の領域に対する領域設定処理に切り替え、第１の領域の設定を終了する操作を受け付けるまで、第１の領域に対する領域設定処理を継続する。
【００７４】
［実施の形態２による効果］
携帯端末装置１００ａは、第１の領域の設定を開始する操作が受け付けられた状態において、第２の領域の設定を開始する操作を受け付け、第２の機能を利用可能な第２の機能情報を受け付ける。そして、携帯端末装置１００ａは、第２の領域の設定を終了する操作、第１の領域の設定を終了する操作を受け付けた時に、第１の機能情報及び対応する識別情報と、第２の機能情報及び対応する識別情報とを情報処理装置２００ａに対して送信する。情報処理装置２００ａは、受信した第１の機能情報及び識別情報と、第２の機能情報及び識別情報とを、記憶部２０３に対応付けてそれぞれ登録する。そして、情報処理装置２００ａは、通信装置３００と情報機器４００との通信に応じて、通信装置３００の識別情報を受信した場合に、受信した識別情報に対応する第１の機能情報又は第２の機能情報を記憶部２０３から取得し、通信装置３００を介して、取得した第１の機能情報又は第２の機能情報を情報機器４００に対して送信する。これらの結果、情報処理システム１は、機能の利用を制限する範囲を、携帯端末装置１００ａを所持するユーザの一度の移動で複数決定することができる。
【００７５】
（実施の形態３）
上記実施の形態１では、携帯端末装置１００を所持するユーザの一回の移動により１の領域を設定する場合を説明した。実施の形態３では、携帯端末装置１００ｂを所持するユーザの一回の移動により、また、所定の被写体の撮影により、複数の領域を設定する場合を説明する。
【００７６】
［実施の形態３に係る携帯端末装置のハードウェア構成］
図１５を用いて、実施の形態３に係る携帯端末装置のハードウェア構成を説明する。図１５は、実施の形態３に係る携帯端末装置のハードウェア構成例を示すブロック図である。なお、実施の形態３に係る情報処理装置のハードウェア構成については、実施の形態１に係る情報処理装置２００のハードウェア構成と同様であるため、その説明を省略する。
【００７７】
図１５に示すように、携帯端末装置１００ｂは、ＣＰＵ１２と、ＲＡＭ１３と、ＲＯＭ１４と、通信Ｉ／Ｆ１５と、操作表示部１６と、撮影部１７ｂとを有する。上記各部は、システムバス１１を介して相互に接続される。
【００７８】
ＣＰＵ１２は、携帯端末装置１００ｂの動作を統括的に制御する。ＣＰＵ１２は、ＲＡＭ１３を作業領域として、ＲＯＭ１４等に格納されたプログラムを実行することで、携帯端末装置１００ｂ全体の動作を制御する。通信Ｉ／Ｆ１５は、通信装置３００や情報処理装置２００ｂ等との通信を制御するインタフェースである。操作表示部１６は、タッチパネルやハードキー等を有し、携帯端末装置１００ｂに対する情報の入力を受け付け、各種画面を表示する。撮影部１７ｂは、ＣＣＤ（Charge  Coupled  Device）等のイメージセンサと、イメージセンサに光を照射させる光学系と、イメージセンサの駆動回路と、イメージセンサから出力された信号を画像データに変換する画像処理部とを含む。撮影部１７ｂは、ＣＰＵ１２からの指示に従って撮影を行ない、画像データを出力する。
【００７９】
［実施の形態３に係る各装置の機能構成］
次に、図１６を用いて、実施の形態３に係る各装置の機能構成を説明する。図１６は、実施の形態３に係る携帯端末装置１００ｂ及び情報処理装置２００ｂの機能構成例を示すブロック図である。実施の形態３では、実施の形態１に係る各装置の機能構成と同様の構成については同一の符号を付し、その詳細な説明を省略する場合がある。具体的には、以下に記載する受付部１０１ｂ、通信制御部１０４ｂ、撮影制御部１０６ｂ、登録部２０２ｂ、機能情報取得部２０４ｂ及び通信制御部２０５ｂ以外の各部の機能は、実施の形態１に係る各部の機能と同様である。
【００８０】
図１６に示すように、携帯端末装置１００ｂは、受付部１０１ｂと、識別情報取得部１０２と、記憶部１０３と、通信制御部１０４ｂと、通信部１０５と、撮影制御部１０６ｂとを有する。受付部１０１ｂ、識別情報取得部１０２、通信制御部１０４ｂ及び撮影制御部１０６ｂは、これらの一部又は全てがソフトウェア（プログラム）で実現されても良いし、ハードウェア回路で実現されても良い。
【００８１】
撮影制御部１０６ｂは、撮影部１７ｂによる被写体の撮影を制御する。より具体的には、撮影制御部１０６ｂは、携帯端末装置１００ｂを所持するユーザによる操作に応じて、撮影部１７ｂによる被写体の撮影を制御する。本実施の形態では、携帯端末装置１００ｂを所持するユーザが移動している状況において、所定の被写体が撮影されている間は（第１の領域ではなく）第２の領域を設定する状態となる。撮影制御部１０６ｂは、被写体を撮影した画像データを記憶部１０３に格納する。
【００８２】
受付部１０１ｂは、第１の機能とは異なる第２の機能の情報を表す第２の機能情報を受け付ける。かかる受付部１０１ｂは、「第６の受付部」に対応する。より具体的には、受付部１０１ｂは、携帯端末装置１００ｂを所持するユーザの操作表示部１６に対する操作により、携帯端末装置１００ｂや情報機器４００が第２の領域において利用可能な第２の機能情報を受け付ける。第２の機能情報は、第１の機能情報と同様に、選択や入力等により受け付けられれば良い。例えば、所定の被写体の撮影が開始されると操作表示部１６に対して第２の機能情報の選択・入力を促す画面が表示され、受付部１０１ｂは、第２の機能情報を受け付ける。受付部１０１ｂは、受け付けた第２の機能情報を記憶部１０３に格納する。携帯端末装置１００ｂを所持するユーザは、第２の領域を設定するために、所定の被写体を撮影しながら引き続き移動する。なお、所定の被写体は、複数の異なる被写体であっても良い。複数の異なる被写体である場合は、各被写体の撮影に応じて、異なる利用制限を適用することができる。
【００８３】
図１７は、実施の形態３に係る情報処理システム１の適用例を説明する図である。図１７に示すように、所定の被写体「被写体Ｔ」を撮影している間は第２の領域を設定しているものとし、撮影していない間は第１の領域を設定可能である。また、図１７に示すように、所定の被写体「被写体Ｔ」に対して遮蔽物を設置することで、利用制限を行ないたい運営側のユーザ（携帯端末装置１００ｂを所持するユーザ）は、撮影を継続したまま領域の設定を行なうことができる。図１７に示す例では、通信範囲Ａ、通信範囲Ｂ、通信範囲Ｃ及び通信範囲Ｆが、第２の領域として設定される。また、通信範囲Ｄ及び通信範囲Ｅは、第２の領域として設定されることはなく、第１の領域として設定することが可能である。
【００８４】
図１８は、実施の形態３に係る携帯端末装置１００ｂの記憶部１０３に記憶される情報例を示す図である。図１８に示すように、記憶部１０３は、実施の形態１と同様に、「順番」と、「識別情報」と、「機能情報」との情報を対応付けて記憶し、これらに加え、撮影された被写体の情報を表す「被写体」をさらに記憶する。本実施の形態では、携帯端末装置１００ｂを所持するユーザの一度の移動により、また、所定の被写体の撮影有無により、複数の機能情報を登録できる。図１８に示す例によれば、携帯端末装置１００ｂを所持するユーザは、通信装置３００ａの通信範囲Ａ、通信装置３００ｂの通信範囲Ｂ、通信装置３００ｃの通信範囲Ｃ、通信装置３００ｄの通信範囲Ｄ、通信装置３００ｅの通信範囲Ｅ、通信装置３００ｆの通信範囲Ｆの順に、移動したことがわかる。また、この移動において、通信範囲Ａ、通信範囲Ｂ、通信範囲Ｃ及び通信範囲Ｆに携帯端末装置１００ｂが含まれているときに、所定の被写体である被写体Ｔの撮影が行われたことにより、第２の領域が設定されたことがわかる。また、通信範囲Ｄ及び通信範囲Ｅに携帯端末装置１００ｂが含まれているときは、所定の被写体である被写体Ｔが撮影されておらず、第１の領域が設定されたことがわかる。
【００８５】
通信制御部１０４ｂは、通信装置３００を介して、所定の被写体が撮影されている間に受け付けられた第２の機能情報と、取得された識別情報との、情報処理装置２００ｂに対する送信をさらに制御する。より具体的には、通信制御部１０４ｂは、第１の機能情報と、該第１の機能情報に対応する識別情報とに加え、所定の被写体の情報に対応する第２の機能情報と識別情報とを、情報処理装置２００ｂに対して送信する。
【００８６】
また、図１６に示すように、情報処理装置２００ｂは、通信部２０１と、登録部２０２ｂと、記憶部２０３と、機能情報取得部２０４ｂと、通信制御部２０５ｂとを有する。登録部２０２ｂ、機能情報取得部２０４ｂ及び通信制御部２０５ｂは、これらの一部又は全てがソフトウェア（プログラム）で実現されても良いし、ハードウェア回路で実現されても良い。
【００８７】
登録部２０２ｂは、第２の機能情報と識別情報とを対応付けて記憶部２０３にさらに登録する。より具体的には、登録部２０２ｂは、通信部２０１によって受信された第１の機能情報と識別情報とを対応付けて記憶部２０３に登録するとともに、受信された第２の機能情報と識別情報とを対応付けて記憶部２０３に登録する。図１９は、実施の形態３に係る情報処理装置２００ｂの記憶部２０３に記憶される情報例を示す図である。図１９に示すように、記憶部２０３は、実施の形態１と同様に、「機能情報」と「識別情報」との情報を対応付けて記憶する。本実施の形態では、携帯端末装置１００ｂを所持するユーザの一度の移動により、また、所定の被写体の撮影により、複数の利用制限に関する情報を登録できる。図１９に示す例は、携帯端末装置１００ｂを所持するユーザの一度の移動によって記憶部２０３に登録される情報例である。例を挙げると、記憶部２０３は、機能情報「機能Ｘ」と、識別情報「Ｓ０００Ｄ」、「Ｓ０００Ｅ」とを対応付けて記憶する。また、記憶部２０３は、機能情報「機能Ｙ」と、識別情報「Ｓ０００Ａ」、「Ｓ０００Ｂ」、「Ｓ０００Ｃ」、「Ｓ０００Ｆ」とを対応付けて記憶する。
【００８８】
機能情報取得部２０４ｂは、通信装置３００の識別情報が受信された場合に、受信された識別情報に対応する第２の機能情報を記憶部２０３からさらに取得する。より具体的には、機能情報取得部２０４ｂは、通信装置３００と、通信装置３００の通信範囲内に存在する情報機器４００との通信に応じて送信された該通信装置３００の識別情報が受信された場合に、受信された識別情報に対応する第１の機能情報又は第２の機能情報を記憶部２０３から取得する。なお、利用制限のための情報が記憶部２０３に複数記憶されている場合は、複数の機能情報が取得される可能性がある。
【００８９】
通信制御部２０５ｂは、通信装置３００を介して、記憶部２０３から取得された第２の機能情報の、情報機器４００に対する送信をさらに制御する。より具体的には、通信制御部２０５ｂは、機能情報取得部２０４ｂによって記憶部２０３から取得された第１の機能情報又は第２の機能情報を、通信部２０１を介して、識別情報を送信してきた通信装置３００に対して送信する。
【００９０】
［実施の形態３に係る領域設定処理フロー］
次に、図２０を用いて、実施の形態３に係る領域設定処理の流れを説明する。図２０は、実施の形態３に係る領域設定処理の流れの例を示すフローチャートである。実施の形態３に係る領域設定処理とは、携帯端末装置１００ｂを所持するユーザの移動、また、所定の被写体の撮影に応じて、第１の領域及び第２の領域を設定するための処理を指す。
【００９１】
図２０に示すように、携帯端末装置１００ｂは、第１の領域の設定を開始する操作を受け付ける（ステップＳ５０１）。そして、携帯端末装置１００ｂは、第１の領域で利用可能な第１の機能情報を受け付ける（ステップＳ５０２）。また、携帯端末装置１００ｂは、所定の被写体が撮影されているか否かを判定する（ステップＳ５０３）。このとき、携帯端末装置１００ｂは、所定の被写体が撮影されていない場合に（ステップＳ５０３：Ｎｏ）、携帯端末装置１００ｂを所持するユーザの移動に応じて通信装置３００との通信を確立し、通信を確立した通信装置３００から、該通信装置３００の識別情報を取得する（ステップＳ５０４）。一方、携帯端末装置１００ｂは、所定の被写体が撮影されている場合に（ステップＳ５０３：Ｙｅｓ）、ステップＳ５０８の処理を実行する。
【００９２】
続いて、携帯端末装置１００ｂは、受け付けた第１の機能情報と、取得した識別情報とを記憶部１０３に対応付けて登録する（ステップＳ５０５）。また、携帯端末装置１００ｂは、第１の領域の設定を終了する操作を受け付けたか否かを判定する（ステップＳ５０６）。このとき、携帯端末装置１００ｂは、第１の領域の設定を終了する操作を受け付けた場合に（ステップＳ５０６：Ｙｅｓ）、処理を終了する。一方、携帯端末装置１００ｂは、第１の領域の設定を終了する操作を受け付けていない場合に（ステップＳ５０６：Ｎｏ）、所定の被写体が撮影されているか否かを判定する（ステップＳ５０７）。携帯端末装置１００ｂは、所定の被写体が撮影されていない場合に（ステップＳ５０７：Ｎｏ）、ステップＳ５０４に戻り、第１の領域に対する領域設定処理を継続する。
【００９３】
また、携帯端末装置１００ｂは、所定の被写体が撮影されている場合に（ステップＳ５０７：Ｙｅｓ）、第２の領域で利用可能な第２の機能情報を受け付ける（ステップＳ５０８）。そして、携帯端末装置１００ｂは、携帯端末装置１００ｂを所持するユーザの移動に応じて通信装置３００との通信を確立し、通信を確立した通信装置３００から、該通信装置３００の識別情報を取得する（ステップＳ５０９）。続いて、携帯端末装置１００ｂは、受け付けた第２の機能情報と、取得した識別情報とを記憶部１０３に対応付けて登録する（ステップＳ５１０）。
【００９４】
また、携帯端末装置１００ｂは、所定の被写体が撮影されているか否かを判定する（ステップＳ５１１）。このとき、携帯端末装置１００ｂは、所定の被写体が撮影されている場合に（ステップＳ５１１：Ｙｅｓ）、ステップＳ５０９に戻り、第２の領域に対する領域設定処理を継続する。一方、携帯端末装置１００ｂは、所定の被写体が撮影されていない場合に（ステップＳ５１１：Ｎｏ）、ステップＳ５０６に戻る。携帯端末装置１００ｂは、第１の領域の設定を終了する操作を受け付けるまで、第１の領域に対する領域設定処理や、所定の被写体の撮影に応じて第２の領域に対する領域設定処理を継続する。
【００９５】
［実施の形態３による効果］
携帯端末装置１００ｂは、第１の領域の設定を開始する操作を受け付け、第１の機能情報を受け付ける。また、携帯端末装置１００ｂは、所定の被写体の撮影に応じて、第２の機能情報を受け付ける。そして、携帯端末装置１００ｂは、携帯端末装置１００ｂを所持するユーザの移動に応じて、通信を確立した通信装置３００から、該通信装置３００の識別情報を取得する。続いて、携帯端末装置１００ｂは、第１の領域の設定の終了時に、第１の機能情報及び識別情報と、所定の被写体を撮影されている間に受け付けたられた第２の機能情報及び識別情報とを、情報処理装置２００ｂに対して送信する。情報処理装置２００ｂは、受信した第１の機能情報及び識別情報と、第２の機能情報及び識別情報とを記憶部２０３に対応付けてそれぞれ登録する。そして、情報処理装置２００ｂは、通信装置３００と情報機器４００との通信に応じて、通信装置３００の識別情報を受信した場合に、受信した識別情報に対応する第１の機能情報又は第２の機能情報を記憶部２０３から取得し、通信装置３００を介して、取得した第１の機能情報又は第２の機能情報を情報機器４００に対して送信する。これらの結果、情報処理システム１は、機能の利用を制限する範囲を、携帯端末装置１００ｂを所持するユーザの一度の移動、また、所定の被写体の撮影で、複数決定することができる。
【００９６】
（実施の形態４）
上記実施の形態１では、通信装置３００の識別情報に対応する第１の機能情報をもとに、情報機器４００側で機能の実行可否を確認する場合を説明した。実施の形態４では、通信装置３００の識別情報を受信した情報処理装置２００ｃ側で機能の実行可否を確認する場合を説明する。なお、実施の形態４に係る各装置のハードウェア構成については、実施の形態１に係る各装置のハードウェア構成と同様であるため、その説明を省略する。
【００９７】
図２１を用いて、実施の形態４に係る各装置の機能構成を説明する。図２１は、実施の形態４に係る携帯端末装置１００及び情報処理装置２００ｃの機能構成例を示すブロック図である。実施の形態４では、実施の形態１に係る各装置の機能構成と同様の構成については同一の符号を付し、その詳細な説明を省略する場合がある。具体的には、以下に記載する通信制御部２０５ｃ及び機能情報確認部２０６ｃ以外の各部の機能は、実施の形態１に係る各部の機能と同様である。
【００９８】
図２１に示すように、携帯端末装置１００は、受付部１０１と、識別情報取得部１０２と、記憶部１０３と、通信制御部１０４と、通信部１０５とを有する。受付部１０１、識別情報取得部１０２及び通信制御部１０４は、これらの一部又は全てがソフトウェア（プログラム）で実現されても良いし、ハードウェア回路で実現されても良い。上述したように、実施の形態４に係る携帯端末装置１００の機能は、実施の形態１に係る携帯端末装置１００の機能と同様で良い。
【００９９】
また、図２１に示すように、情報処理装置２００ｃは、通信部２０１と、登録部２０２と、記憶部２０３と、通信制御部２０５ｃと、機能情報確認部２０６ｃとを有する。登録部２０２、通信制御部２０５ｃ及び機能情報確認部２０６ｃは、これらの一部又は全てがソフトウェア（プログラム）で実現されても良いし、ハードウェア回路で実現されても良い。
【０１００】
機能情報確認部２０６ｃは、情報機器４００で実行される機能が、実行可能であるか否かを確認する。実施の形態１と同様に、通信部２０１は、通信装置３００と、通信装置３００の通信範囲内に存在する情報機器４００との通信に応じて送信された、該通信装置３００の識別情報を受信する。これに加え、通信部２０１は、情報機器４００で起動操作が受け付けられた機能の情報を表す起動機能情報を受信する。これらにより、機能情報確認部２０６ｃは、通信装置３００の識別情報、及び、情報機器４００の起動機能情報が受信された場合に、記憶部２０３を参照し、識別情報及び起動機能情報に対応する機能情報が存在するか否かを確認する。すなわち、本実施の形態では、機能情報をもとに情報機器４００側で利用制限を確認するのではなく、機能情報をもとに情報処理装置２００ｃ側で利用制限を確認する。このために、本実施の形態に係る情報機器４００は、機能を起動する際に、そのときに通信している通信装置３００の識別情報と、起動機能情報とを、情報処理装置２００ｃに対して送信する。
【０１０１】
通信制御部２０５ｃは、通信装置３００を介して、確認結果情報の、情報機器４００に対する送信を制御する。より具体的には、通信制御部２０５ｃは、機能情報確認部２０６ｃによって確認された、識別情報及び起動機能情報に対応する機能情報が存在すること、又は、識別情報及び起動機能情報に対応する機能情報が存在しないこと、を表す確認結果情報を、通信部２０１を介して、識別情報及び起動機能情報を送信してきた通信装置３００に対して送信する。これらにより、情報機器４００では、確認結果情報をもとに、起動操作された機能の実行が制御される。
【０１０２】
［実施の形態４に係る機能情報確認処理シーケンス］
次に、図２２を用いて、実施の形態４に係る機能情報確認処理の流れを説明する。図２２は、実施の形態４に係る機能情報確認処理の流れの例を示すシーケンス図である。実施の形態４に係る機能情報確認処理とは、情報機器４００によって起動操作された機能の実行可否を情報処理装置２００ｃが確認する処理を指す。なお、図２２で説明する情報機器４００は、携帯端末装置１００であっても良い。
【０１０３】
図２２に示すように、情報機器４００を所持するユーザの移動に応じて、情報機器４００は、通信装置３００との通信を確立する（ステップＳ６０１）。そして、情報機器４００は、アプリケーション等の何らかの機能を起動する操作を受け付ける（ステップＳ６０２）。このとき、情報機器４００は、通信を確立している通信装置３００から、該通信装置３００の識別情報を取得する（ステップＳ６０３）。続いて、情報機器４００は、実行される機能が利用可能な否かを問い合わせるために、通信装置３００を介して、取得した識別情報と、起動操作された機能に関する起動機能情報とを情報処理装置２００ｃに対して送信する（ステップＳ６０４）。
【０１０４】
情報処理装置２００ｃは、識別情報及び起動機能情報を受信すると、記憶部２０３を参照し、受信した識別情報及び起動機能情報に対応する第１の機能情報が存在するか否かを確認する（ステップＳ６０５）。そして、情報処理装置２００ｃは、通信装置３００を介して、対応する第１の機能情報が存在すること、又は、対応する第１の機能情報が存在しないことを表す確認結果情報を情報機器４００に対して送信する（ステップＳ６０６）。情報機器４００は、確認結果情報を受信し、受信した確認結果情報をもとに、実行される機能が利用可能であれば、該機能を実行する（ステップＳ６０７）。
【０１０５】
［実施の形態４による効果］
携帯端末装置１００は、第１の領域の設定を開始する操作を受け付け、第１の機能情報を受け付ける。そして、携帯端末装置１００は、携帯端末装置１００を所持するユーザの移動に応じて、通信を確立した通信装置３００から、該通信装置３００の識別情報を取得する。続いて、携帯端末装置１００は、第１の領域の設定の終了時に、受け付けられた第１の機能情報と、取得された識別情報とを情報処理装置２００ｃに対して送信する。情報処理装置２００ｃは、受信した第１の機能情報と識別情報とを記憶部２０３に対応付けて登録する。そして、情報処理装置２００ｃは、通信装置３００と情報機器４００との通信に応じて、通信装置３００の識別情報及び情報機器４００の起動機能情報を受信した場合に、記憶部２０３を参照し、受信した識別情報及び起動機能情報に対応する第１の機能情報が存在するか否かを確認する。続いて、情報処理装置２００ｃは、通信装置３００を介して、対応する第１の機能情報が存在すること、又は、対応する第１の機能情報が存在しないことを表す確認結果情報を情報機器４００に対して送信する。これらの結果、情報処理システム１は、機能の利用を制限する範囲を柔軟に決定することができる。
【０１０６】
（実施の形態５）
さて、これまで本発明に係る情報処理システム１の実施の形態について説明したが、上述した実施の形態以外にも種々の異なる形態にて実施されて良いものである。そこで、（１）構成、（２）プログラム、について異なる実施の形態を説明する。
【０１０７】
（１）構成
上記文書中や図面中等で示した処理手順、制御手順、具体的名称、各種のデータやパラメタ等を含む情報は、特記する場合を除いて任意に変更することができる。また、図示した装置の各構成要素は、機能概念的なものであり、必ずしも物理的に図示の如く構成されていることを要しない。すなわち、装置の分散又は統合の具体的形態は、図示のものに限られず、その全部又は一部を各種の負担や使用状況等に応じて、任意の単位で機能的又は物理的に、分散又は統合することができる。
【０１０８】
（２）プログラム
また、携帯端末装置１００や情報処理装置２００で実行されるプログラムは、一つの様態として、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。また、携帯端末装置１００や情報処理装置２００で実行されるプログラムを、インターネット等のネットワークに接続されたコンピュータ上に格納し、ネットワーク経由でダウンロードさせることにより提供するようにしても良い。また、携帯端末装置１００や情報処理装置２００で実行されるプログラムをインターネット等のネットワーク経由で提供又は配布するように構成しても良い。また、携帯端末装置１００や情報処理装置２００で実行されるプログラムを、ＲＯＭ等に予め組み込んで提供するように構成しても良い。
【０１０９】
携帯端末装置１００で実行されるプログラムは、上述した各部（受付部１０１、識別情報取得部１０２、通信制御部１０４）を含むモジュール構成となっており、実際のハードウェアとしてはＣＰＵが記憶媒体からプログラムを読み出して実行することにより、上記各部が主記憶装置上にロードされ、受付部１０１、識別情報取得部１０２、通信制御部１０４が主記憶装置上に生成されるようになっている。
【０１１０】
また、情報処理装置２００で実行されるプログラムは、上述した各部（登録部２０２、機能情報取得部２０４、通信制御部２０５）を含むモジュール構成となっており、実際のハードウェアとしてはＣＰＵが記憶媒体からプログラムを読み出して実行することにより、上記各部が主記憶装置上にロードされ、登録部２０２、機能情報取得部２０４、通信制御部２０５が主記憶装置上に生成されるようになっている。
【符号の説明】
【０１１１】
１  情報処理システム
１００  携帯端末装置
１０１  受付部
１０２  識別情報取得部
１０３  記憶部
１０４  通信制御部
１０５  通信部
２００  情報処理装置
２０１  通信部
２０２  登録部
２０３  記憶部
２０４  機能情報取得部
２０５  通信制御部
３００  通信装置
４００  情報機器
【先行技術文献】
【特許文献】
【０１１２】
【特許文献１】特開２０１４−４９８９９号公報
【図１】
2017055264.tif 000003
【図２】
2017055264.tif 000004
【図３】
2017055264.tif 000005
【図４】
2017055264.tif 000006
【図５】
2017055264.tif 000007
【図６Ａ】
2017055264.tif 000008
【図６Ｂ】
2017055264.tif 000009
【図７】
2017055264.tif 000010
【図８】
2017055264.tif 000011
【図９】
2017055264.tif 000012
【図１０】
2017055264.tif 000013
【図１１】
2017055264.tif 000014
【図１２】
2017055264.tif 000015
【図１３】
2017055264.tif 000016
【図１４】
2017055264.tif 000017
【図１５】
2017055264.tif 000018
【図１６】
2017055264.tif 000019
【図１７】
2017055264.tif 000020
【図１８】
2017055264.tif 000021
【図１９】
2017055264.tif 000022
【図２０】
2017055264.tif 000023
【図２１】
2017055264.tif 000024
【図２２】
2017055264.tif 000025